(57)【特許請求の範囲】
【請求項１】
ドリンク容器を収容する上端が開口した円筒状の収容部と、この収容部の周壁に形成された穴にこの穴に沿って移動可能に配置され、この穴から前記収容部内に出没するフラップとを備えたドリンク容器保持機構であって、
前記フラップを前記収容部内へ突出させる付勢部材を備え、
前記フラップをその先端部が上下に移動するように揺動可能に設け、
そのフラップの先端部が側面視で略半円状に形成され、
前記フラップは上下に配置された第１，第２の軸を有し、
前記付勢部材は、第１，第２の軸を収容部側へ付勢し、
前記フラップは、この第１，第２の軸のどちらの軸回りにも揺動可能であることを特徴とするドリンク容器保持機構。 
【発明の詳細な説明】
【技術分野】
【０００１】
本発明は、ドリンク容器を収容する上端が開口した円筒状の収容部と、この収容部の周壁に形成された穴にこの穴に沿って移動可能に配置され、この穴からその収容部内に出没するフラップと備えたドリンク容器保持機構に関する。
【背景技術】
【０００２】
従来、図８(a)に示すように、ドリンク容器103を挿入するための収容部2と、この収容部2の周壁2aの凹部2bに回動可能に設けられ、且つ、この収容部2内にその先端部1aを突出させてドリンク容器103を保持する直径補償エレメント（フラップ）1と、この直径補償エレメント1を反時計回りに付勢するバネ（不図示）と、この直径補償エレメント1の時計回りの回動を許容し、反時計回りの回動をいくつかの所定角度毎（例えば、２０度、４０度、６０度）において制止するラチェット機構（不図示）とを備えたドリンク容器保持機構が知られている（例えば、特許文献１参照）。
【特許文献１】特開２００３−２３７４５２号公報
【発明の開示】
【発明が解決しようとする課題】
【０００３】
従来のドリンク容器保持機構については、図8(b)に示すように、例えば、くびれのあるドリンク容器103を収容部2の上端開口から収容部2へ挿入していくと、このドリンク容器103の下部103dが直径補償エレメント1の先端部1aに当接し、ばねエレメント（不図示）の付勢力に抗して直径補償エレメント1を時計回りに回動させる。更にドリンク容器103を挿入していくと、直径補償エレメント1がバネにより付勢されていることにより、そのくびれ部分103ｃが直径補償エレメント１の先端部１aに押圧され、ドリンク容器103が収容部2に保持される（図8(c)参照）。
【０００４】
図8(c)に示す状態でドリンク容器103を収容部２から取り出す際、直径補償エレメント１がドリンク容器103のふくらみ部分103bに引っかかり、このため、この収容部2からドリンク容器103を取り出しにくいものとなる。また、直径補償エレメント１はラチェット構造に拠り左回りに所定角度以上回動しないが、直径補償エレメント１の先端部１aがドリンク容器103のふくらみ部分103bに引っかかっていることにより、ドリンク容器103を無理に取り出すと、この直径補償エレメント１やラチェット構造が破損する問題もあった。
【０００５】
本発明は、上記問題に着目してなされたもので、くびれ部分103cを有するドリンク容器103であってもフラップの先端部がこのドリンク容器103のふくらみ部分103bに引っかからずにスムーズに取り出すことができるドリンク容器保持機構を提供することを目的とする。
【課題を解決するための手段】
【０００６】
上記目的を達成するため、本発明では、ドリンク容器を収容する上端が開口した円筒状の収容部と、この収容部の周壁に形成された穴にこの穴に沿って移動可能に配置され、この穴から前記収容部内に出没するフラップとを備えたドリンク容器保持機構であって、前記フラップを前記収容部内へ突出させる付勢部材を備え、前記フラップをその先端部が上下に移動するように揺動可能に設け、そのフラップの先端部が側面視で略半円状に形成され、前記フラップは上下に配置された第１，第２の軸を有し、前記付勢部材は、第１，第２の軸を収容部側へ付勢し、前記フラップは、この第１，第２の軸のどちらの軸回りにも揺動可能であることを特徴とする。 
【発明の効果】
【０００７】
本発明のドリンク容器保持機構にあっては、ドリンク容器を取り出す際にフラップがこのドリンク容器の側面のふくらみ部分に引っかかることなく取り出すことができる。
【０００８】
例えば、ドリンク容器を取り出すとき、ドリンク容器のふくらみ部分とくびれ部分の起伏に合わせてフラップが揺動するため、このフラップがドリンク容器のふくらみ部分に引っかからず、ドリンク容器をスムーズに取り出すことができる。
【発明を実施するための最良の形態】
【０００９】
以下、本発明のドリンク容器保持機構を実現する最良の形態を、図面に示す実施例に基づいて説明する。
【実施例】
【００１０】
まず、ドリンク容器保持機構100の構成を説明する。
【００１１】
実施例の車内の略直方形状のセンターコンソール1000は、図１に示すように、この略中央部に形成された直方形の箱であるコンパートメント101と、このコンパートメント101の上部開口内に嵌合して設けられる一対のドリンク容器保持機構100,100と、このコンパートメント101の後部に段差を介して設けられるとともに図示しない軸に軸支されて開閉するアームレスト102等とを有している。
＜ドリンク容器保持機構＞
ドリンク容器保持機構100は、図2に示すように、ドリンク容器103(図７参照)を収容するための上端が開口した筒体からなる収容部20と、その収容部20の上部に設けられたパネル部10と、この収容部20の周壁21d（外周壁）の外側に設けられた保持手段200とを備えている。 
【００１２】
このドリンク容器保持機構100を構成する各部材は、ドリンク容器103から受ける熱の影響に拠り、変性しないものなら基本的にどのような材料を用いても良い。好ましくは、熱の影響により伸縮しないものが好ましい。
＜パネル部＞
パネル部10は、２つの収容部20，20（他方不図示）の上端に一体形成されたフランジ11（一部不図示）と、このフランジ11の４つの縁部11aから下方に延びたリブ12とを有している。
【００１３】
このフランジ11は、図１に示すように、センターコンソール1000のコンパートメント101の上部開口とほぼ同一形状に形成されている。ドリンク容器保持機構100，100をコンパートメント101に嵌合させて取り付けると、フランジ11のリブ12がコンパートメント101の内壁101a（図１参照）に当接する。
＜収容部＞
収容部20には、図2および図3に示すように、その上部開口21bの近傍の周壁21dに貫通した穴21aが形成されている。
【００１４】
この収容部20の内周面は、図2(b)に示すように、その内径が収容部20の上部開口端21cからその底壁21eに向かって狭まるように緩やかに傾斜している。また、各収容部20の底壁21eの下面21fは、コンパートメント101の底壁の上面に当接し、このドリンク容器保持機構100がコンパートメント101に支持されている（不図示）。
＜保持手段＞
保持手段200は、収容部20の周壁21dから径方向に外方へ延びた案内部30と、この案内部30に（図2(b)において左右方向に）移動可能に取り付けられたフラップ40と、この案内部30の支承中部31Af,31Bf（図4A参照）に取り付けられた割ピン70と、このフラップ40を収容部20の内部側に付勢するまきバネ（付勢部材）60とを有する。
＜案内部＞
案内部30は、図4A, 図4Bに示すように、略E字形状の相対向した一対の側板31A,31Bと、この側板31A,31Bをその下部で相互に連結する下板32とを有している。各側板31A,31Bは、支承上部31Ae,31Beと、略半円弧状に形成されている支承中部31Af,31Bfと、支承下部31Ag, 31Bgと、これらを連結する連結部31Al,31Blとを有し、支承上部と支承中部と間、支承中部と支承下部との間がそれぞれ溝31Ac,31Ad,31Bc,31Bdとなっている。また，側板31A,31Bは、周壁21dの穴21aを挟み込む位置で周壁21dの外側面にそれぞれ接続している。
【００１５】
この側板31A,31B間の離間距離は、穴21aの幅寸法とほぼ同一に設定されている。また、この側板31A,31Bの上面31Aa,31Baは、穴21aの上縁よりも高い位置にあり、この側板31A,31Bの下面31Am,31Bmは、穴21aの下縁よりも低い位置にある。
【００１６】
また、この穴21aの幅寸法は、フラップ40の幅寸法とほぼ同一に設定され、穴21aの高さ寸法は、フラップ40の幅寸法より大きく設定されている。
【００１７】
この支承中部31Af,31Bfには、図4Aに示すように、軸孔31Afa,31Bfaがそれぞれ形成され、図4Bに示すようにこの軸孔31Afa,31Bfaに割ピン70が挿通されている。また、案内部30の溝31Ac,31Bcおよび溝31Ad,31Bdの高さ寸法は、それぞれ後述するフラップ40の第１の軸41の直径と、第２の軸42の直径よりやや大きく設定されている。
＜フラップ＞
フラップ40は、図9〜11に示すように、側面視で略Ｃ字状を呈する相互に離間した一対の板51,52と、この板51,52の上の突出部51a,52a間および下の突出部51b,52b間を貫挿して固着した第１の軸41および第2の軸42と、板51の先端部と板52の先端部とを連結した連結部53とを有している。そして、図11に示すフラップ40の右側の円弧部分が先端部40aとなっている。
【００１８】
この第１の軸41および第２の軸42の長さは、案内部30の幅W32（図12参照）とほぼ同一に設定されている。
【００１９】
また、図３に示すように、フラップ40は、収容部20の穴21aと案内部30の側板31A,31B間とに入り込んで、その先端部40aが収容部20の内部に突出している。
【００２０】
第1の軸41は、図4Bに示すように、案内部30の溝31Ac,31Bc内に入り込んで、この溝31Ac,31Bcに沿って移動可能に且つ支承中部31Af,31Bfの上面に支承されている。また、第2の軸42も第１の軸41と同様に、案内部30の溝31Ad,31Bdに入り込んで、この溝31Ad,31Bdに沿って移動可能に且つ支承下部31Ag,31Bgの上面に支承されている。そして、フラップ40は第１の軸41や、第２の軸42回りに回動することができるようになっている。
【００２１】
また、このフラップ40は、図3に示すように、案内部30の側板31A,31Bによって収容部20に対して前後方向に案内され、フラップ40の先端部40aは、収容部20の内部へ突出して、図7に示すように、ドリンク容器103の側面103ａに当接するようになっている。
＜まきバネ＞
まきバネ60は、図5および図6に示すように、直線状の両腕部60a,60bと、螺旋状のバネ本体60cとから構成される。まきバネ本体60cは、割ピン70に取り付けられており、また、このまきバネ60の両腕部60a,60bは、バネ本体60cより（図５において上下方向に）略直線状に延び、第１の軸41と第２の軸42とに当接して第1の軸41と第2の軸42とを収容部20側（図5において左側）へ付勢している。
＜ドリンク容器保持機構の作用説明＞
次に、ドリンク容器保持機構100の作用を説明する。
＜ドリンク容器の収容＞
図6(a)に示すように、ドリンク容器103を収容していないときには、フラップ40は、まきバネ60の付勢力により収容部20の内側へ付勢され、その先端部40aをこの収容部20の内部空間へ突出させている。
【００２２】
そして、収容部20の上部開口21bからドリンク容器103を挿入していくと、図6(b)および図7(a)に示すように、ドリンク容器103の側面103ａ（周面）のふくらみ部分103bがフラップ40の先端部40aに当接し、このフラップ40を矢印S1の方向に押圧する。そのため、フラップ40は、まきバネ60の付勢力に抗して第1の軸41を中心に反時計回りに回動（すなわち、揺動）し、収容部20の周壁21dの穴21aへ押し込まれる。 
【００２３】
フラップ40は、まきバネ60により常に収容部20側へ付勢されているため、さらにドリンク容器103を収容部20へ挿入していくと、フラップ40の先端部40aは、ドリンク容器103のくびれ部分103cへ摺接していく。この際、フラップ40は、まきバネ60により収容部20側に付勢されていることに拠り、第２の軸42を中心に時計回りに回動（すなわち、揺動）するとともに収容部20の内部へ押し出される（図7(b)参照）。このため、フラップ40の先端部40aは、ドリンク容器103のふくらみ103bに拘わりなくそのくびれ部分103cに当接し、ドリンク容器103を保持することができる。このため、ドリンク容器103を収容部20内に確実に固定することができる。
【００２４】
＜ドリンク容器の取り出し＞
ドリンク容器103を取り出す際に収容部20からドリンク容器103を持ち上げていくと、図7(c）に示すように、そのくびれ部分103cに当接しているフラップ40の先端部40aは、ドリンク容器103のふくらみ103bにより、上方のS2方向へ押圧されるとともに、ふくらみ103bに向かって摺動する。この摺動の際に、フラップ40は、まきバネ60の付勢に抗して第2の軸42を中心にして反時計回りに回動（すなわち、揺動）し、フラップ40の先端部40aは収容部20の穴21aに押し込まれる。
【００２５】
フラップ40は、まきバネ60により常に収容部20側へ付勢されているため、さらにドリンク容器103を持ち上げていくと、フラップ40の先端部40aは、このふくらみ部分103bを乗り越えてドリンク容器103の下部103dへと摺接していく。この際、このフラップ40は、第２の軸42を中心に反時計回りに回動するとともに収容部20の内部へ押し出され、ドリンク容器103を収容していない初期の状態にもどる。
【００２６】
また、上記の支承中部31Af,31Bfは、図4Bに示すように、略半円弧状に形成されているので、フラップ40はスムーズに揺動できる。
【００２７】
図７に示すように、ドリンク容器103を取り出すときフラップ40が揺動するため、フラップ40がドリンク容器103のくびれ部分103cに引っかかることなく、スムーズにドリンク容器103を取り出すことができる。このため、このフラップ40が破損するおそれがない。
【００２８】
このように、ドリンク容器103を取り出すとき、ドリンク容器103のくびれ部分103cの起伏に合わせてフラップ40が揺動するため、ドリンク容器103のふくらみ103bに拘わりなくそのくびれ部分103cを確実に保持し、ドリンク容器103を収容部20に対して確実に固定することができる。
【００２９】
一般的にドリンク容器を保持する手段は、ドリンク容器を収容する収容部の内壁またはこの内壁に相当する箇所に回動可能に設けられるため、これらの保持手段はその全体が露出している場合が多く、この保持手段の回動基部にドリンク液体が付着して劣化すると、この保持手段が回動しにくいものとなる。また、一般的にこのような保持手段は露出しているため、車室のデザイン（意匠性）上、あまり優れているとはいえない。
【００３０】
本発明は、これらの問題についても共に解決するものである。
【００３１】
以上、この発明の実施例を図面により詳述してきたが、具体的な構成はこれらの実施例に限られるものではなく、特許請求の範囲の各請求項に係る発明の要旨を逸脱しない範囲の設計の変更などがあっても設計の変更や追加等は許容され、この発明に含まれる。
【図面の簡単な説明】
【００３２】
【図１】実施例のドリンク容器保持機構が適用された車内のセンターコンソールを示す斜視図である。
【図２】(a)図1のドリンク容器保持機構の一部破断した斜視図である。(b)図１のドリンク容器保持機構の断面図である。
【図３】図2(a)または(b)に示すドリンク容器保持機構の要部を示す斜視図である。
【図４Ａ】図2(a)または(b)に示すドリンク容器保持機構の要部の分解図である。
【図４Ｂ】図2(a)または(b)に示すドリンク容器保持機構の要部を示す図である。
【図５】(a) 図2(a)または(b)に示すドリンク容器保持機構の要部について図4BのA-A線で得られた断面を示す断面斜視図である。(b) 図2(a)または(b)に示すドリンク容器保持機構の要部について図4BのA-A線で得られた断面を示す断面斜視図である。
【図６】実施例のドリンク容器保持機構の作用を説明する断面図である。
【図７】実施例のドリンク容器保持機構の作用を説明する断面図である。
【図８】従来のドリンク容器保持機構の作用を説明する断面図である。
【図９】図4に示すドリンク容器保持機構のフラップを示す斜視図である。
【図１０】図4Aに示すドリンク容器保持機構のフラップの断面図である。
【図１１】図4Aに示すドリンク容器保持機構のフラップの側面図である。
【図１２】図4Bに示すドリンク容器保持機構の要部の背面図である。
【符号の説明】
【００３３】
20    収容部
21a   切欠（穴）
21d   周壁
40   フラップ
40a  先端部
60   まきバネ(付勢部材)
100  ドリンク容器保持機構
103  ドリンク容器
【図１】
0005154849.tif 000002
【図２】
0005154849.tif 000003
【図３】
0005154849.tif 000004
【図４Ａ】
0005154849.tif 000005
【図４Ｂ】
0005154849.tif 000006
【図５】
0005154849.tif 000007
【図６】
0005154849.tif 000008
【図７】
0005154849.tif 000009
【図８】
0005154849.tif 000010
【図９】
0005154849.tif 000011
【図１０】
0005154849.tif 000012
【図１１】
0005154849.tif 000013
【図１２】
0005154849.tif 000014